(57)【要約】      （修正有）【課題】ファンモータから外側に引き出されたリード線が、はずれ、撓み、ファンの外部にはみ出すことを抑制できる並列ファンを提供することである。【解決手段】ハウジング３０は、第１ファンモータ１０を収容する第１筒状部３１と、第２ファンモータ２０を収容する第２筒状部３２と、第１筒状部の上部と第２筒状部の上部とを連結する上側フランジ部３３と、第１筒状部の下部と第２筒状部の下部とを連結する下側フランジ部３４とを有する。上側フランジ部と下側フランジ部との間、かつ、第１筒状部および第２筒状部の径方向外側に設けられ、第１筒状部、第２筒状部、上側フランジ部、または下側フランジ部の少なくとも一部に固定されたリード線支持部３７を有する。第１モータの第１ステータと電気的に接続された第１リード線１５の少なくとも一部は、リード線支持部によって係止される。【選択図】図１
2018093584.tif 000002
【特許請求の範囲】
【請求項１】
第１ファンモータと、前記第１ファンモータと隣接する第２ファンモータと、前記第１ファンモータおよび前記第２ファンモータを内側に収容するハウジングと、を含む並列ファンであって、
前記第１ファンモータは、
第１ステータを有する第１静止部と、上下に延びる第１中心軸を中心に回転する第１回転部と、を有する第１モータと、
複数の第１羽根を有し、前記第１回転部とともに回転する第１インペラと、
を有し、
前記第１モータは、さらに
前記第１ステータと電気的に接続された第１リード線
を有し、
前記第２ファンモータは、
第２ステータを有する第２静止部と、第１中心軸と異なる位置において、前記第１中心軸と平行に延びる第２中心軸を中心に回転する第２回転部と、を有する第２モータと、
複数の第２羽根を有し、前記第２回転部とともに回転する第２インペラと、
を有し、
前記ハウジングは、
軸方向に延び、前記第１ファンモータの少なくとも一部を内部に収容する筒状の第１筒状部と、
軸方向に延び、前記第２ファンモータの少なくとも一部を内部に収容する筒状の第２筒状部と、
前記第１筒状部の上部および前記第２筒状部の上部から径方向外側へ向けて突出し、前記第１筒状部の上部と前記第２筒状部の上部とを連結する上側フランジ部と、
前記第１筒状部の下部および前記第２筒状部の下部から径方向外側へ向けて突出し、前記第１筒状部の下部と前記第２筒状部の下部とを連結する下側フランジ部と、
前記上側フランジ部と前記下側フランジ部との間、かつ、前記第１筒状部および前記第２筒状部の径方向外側に設けられ、前記第１筒状部、前記第２筒状部、前記上側フランジ部、または前記下側フランジ部の少なくとも一部に固定されたリード線支持部と、
を有し、
前記第１リード線の少なくとも一部は、前記リード線支持部によって係止される、並列ファン。
【請求項２】
請求項１に記載の並列ファンであって、
前記第１リード線は、前記第１筒状部から引き出され、上側フランジ部の下方、かつ、下側フランジ部の上方において、前記第２筒状部に向かって延伸し、
前記リード線支持部は、前記上側フランジ部の下面または前記下側フランジ部の上面から、前記第１リード線の前記延伸方向と交差する方向に突出する、並列ファン。
【請求項３】
請求項２に記載の並列ファンであって、
前記リード線支持部は、
前記第１リード線を挟む係止部
を有する、並列ファン。
【請求項４】
請求項３に記載の並列ファンであって、
前記係止部は、
前記第１リード線が配置される底部と、
前記底部の少なくとも一部と間隙を介して対向する腕部と、
を有し、
前記第１リード線の少なくとも一部は、前記間隙を通過し、前記底部と前記腕部とに挟まれることによって係止される、並列ファン。
【請求項５】
請求項４に記載の並列ファンであって、
前記底部は、前記第１リード線の前記延伸方向と交差する方向に凹み、
前記腕部は、前記第１リード線の前記延伸方向と交差し、かつ、前記底部の前記凹み方向と交差する方向に突出する、並列ファン。
【請求項６】
請求項３に記載の並列ファンであって、
前記係止部は、
外表面から内側に凹む溝部
を有し、
前記溝部の側面は、軸方向に屈曲する、並列ファン。
【請求項７】
請求項６に記載の並列ファンであって、
前記溝部の側面は、軸方向にＵ字状に屈曲する、並列ファン。
【請求項８】
請求項６に記載の並列ファンであって、
前記溝部の側面は、軸方向にＶ字状に屈曲する、並列ファン。
【請求項９】
請求項１から請求項８までのいずれか１項に記載の並列ファンであって、
前記ハウジングは、
第２筒状部の外周面の少なくとも一部から径方向外側へ突出する案内部
を有し、
前記第１リード線は、前記案内部に沿って延伸する、並列ファン。
【請求項１０】
請求項９に記載の並列ファンであって、
前記案内部は、
前記第２筒状部の外周面に設けられた上下２つの柱状のリブ
を有し、
前記第１リード線の少なくとも一部は、前記２つのリブの間に配置される、並列ファン。
【請求項１１】
請求項１から請求項１０までのいずれか１項に記載の並列ファンであって、
前記ハウジングは、
上側フランジ部の下方、かつ、下側フランジ部の上方において、前記第２筒状部の外周面から軸方向に交差する方向に凹む凹部
を有し、
前記第２モータは、
前記第２ステータと電気的に接続され、前記第２筒状部から引き出される第２リード線
を有し、
前記第１リード線の少なくとも一部および前記第２リード線の少なくとも一部は、前記凹部の内側に配置される、並列ファン。
【請求項１２】
請求項１１に記載の並列ファンであって、
前記凹部は、
第１凹部と、
前記第１凹部と軸方向に隣接する第２凹部と、
を有し、
前記第１リード線の少なくとも一部は、前記第１凹部の内側に配置され、前記第２リード線の少なくとも一部は、前記第２凹部の内側に配置される、並列ファン。
【請求項１３】
請求項１２に記載の並列ファンであって、
前記第１凹部は、前記第２凹部よりも上側に位置し、
前記第１リード線は、前記第１モータから、前記第１筒状部の下方を通って前記第１筒状部の径方向外側に引き出され、少なくとも一部は前記第１凹部の内側に配置され、
前記第２リード線は、前記第２モータから、前記第２筒状部の下方を通って前記第２筒状部の径方向外側に引き出され、少なくとも一部は前記第２凹部の内側に配置される、並列ファン。
【請求項１４】
請求項１から請求項１３までのいずれか１項に記載の並列ファンであって、
前記リード線支持部は、前記上側フランジ部の下面の一部から、下方に向かって突出し、
前記第１リード線は、前記第１モータから、前記第１筒状部の下方を通って前記第１筒状部の径方向外側に引き出され、前記リード線支持部によって係止される、並列ファン。
【請求項１５】
請求項１２に記載の並列ファンであって、
前記第１凹部は、前記第２凹部よりも下側に位置し、
前記第１リード線は、前記第１モータから、前記第１筒状部の上方を通って前記第１筒状部の径方向外側に引き出され、少なくとも一部は前記第１凹部の内側に配置され、
前記第２リード線は、前記第２モータから、前記第２筒状部の上方を通って前記第２筒状部の径方向外側に引き出され、少なくとも一部は前記第２凹部の内側に配置される、並列ファン。
【請求項１６】
請求項１から請求項１２までのいずれか１項または請求項１５に記載の並列ファンであって、
前記リード線支持部は、前記下側フランジ部の上面の一部から、上方に向かって突出し、
前記第１リード線は、前記第１モータから、前記第１筒状部の上方を通って前記第１筒状部の径方向外側に引き出され、前記リード線支持部によって係止される、並列ファン。
【発明の詳細な説明】
【技術分野】
【０００１】
本発明は、並列ファンに関する。
【背景技術】
【０００２】
従来、モータの駆動力を利用してインペラを回転させ、軸方向に気流を発生させる軸流式のファンモータが知られている。軸流式のファンモータは、例えば、家電製品、ＯＡ機器、輸送機器等に搭載され、電子部品の冷却、または機器筐体内の気体の循環等の目的で使用されている。また、電子機器が多数設置されるサーバルーム内の気体の循環に、ファンモータが用いられる場合もある。従来のファンモータについては、例えば特開２００６−３４２７５３号公報に、記載されている。
【０００３】
特開２００６−３４２７５３号公報に記載のファンモータ装置は、第１のファンモータと第２のファンモータとが隣接して筐体内に並列に設置された構造を有する。各ファンモータはそれぞれ、インペラと、空気流路を構成するハウジングと、モータ部に電流を供給するためのリード線と、を備える。第２のファンモータに接続されたリード線は、ハウジングの排気側端面部に配線される。そして、ハウジングに形成されたリード線案内部から第１のファンモータに接続されたリード線と束ねられて外部に引き出される。
【特許文献１】特開２００６−３４２７５３号公報
【発明の概要】
【発明が解決しようとする課題】
【０００４】
特開２００６−３４２７５３号公報の構造では、第２のファンモータに接続されたリード線は、外部に引き出される途中でハウジングの上端部の隅に形成された鍔部に掛り止めされる。しかし、鍔部に寸法制限があり、より径の大きいリード線が用いられた場合、リード線がファンの外部にはみ出す虞がある。
【０００５】
本発明の目的は、第１のファンモータと第２のファンモータとが隣接した並列ファンにおいて、ファンモータから外側に引き出されたリード線が、はずれ、撓み、ファンの外部にはみ出すことを抑制できる並列ファンを提供することである。また、より径の大きいリード線を用いた場合においても、リード線をしっかりと固定できる並列ファンを提供することを目的とする。
【課題を解決するための手段】
【０００６】
本願の例示的な発明は、第１ファンモータと、前記第１ファンモータと隣接する第２ファンモータと、前記第１ファンモータおよび前記第２ファンモータを内側に収容するハウジングと、を含む並列ファンであって、前記第１ファンモータは、第１ステータを有する第１静止部と、上下に延びる第１中心軸を中心に回転する第１回転部と、を有する第１モータと、複数の第１羽根を有し、前記第１回転部とともに回転する第１インペラと、を有し、前記第１モータは、さらに前記第１ステータと電気的に接続された第１リード線を有し、前記第２ファンモータは、第２ステータを有する第２静止部と、第１中心軸と異なる位置において、前記第１中心軸と平行に延びる第２中心軸を中心に回転する第２回転部と、を有する第２モータと、複数の第２羽根を有し、前記第２回転部とともに回転する第２インペラと、を有し、前記ハウジングは、軸方向に延び、前記第１ファンモータの少なくとも一部を内部に収容する筒状の第１筒状部と、軸方向に延び、前記第２ファンモータの少なくとも一部を内部に収容する筒状の第２筒状部と、前記第１筒状部の上部および前記第２筒状部の上部から径方向外側へ向けて突出し、前記第１筒状部の上部と前記第２筒状部の上部とを連結する上側フランジ部と、前記第１筒状部の下部および前記第２筒状部の下部から径方向外側へ向けて突出し、前記第１筒状部の下部と前記第２筒状部の下部とを連結する下側フランジ部と、前記上側フランジ部と前記下側フランジ部との間、かつ、前記第１筒状部および前記第２筒状部の径方向外側に設けられ、前記第１筒状部、前記第２筒状部、前記上側フランジ部、または前記下側フランジ部の少なくとも一部に固定されたリード線支持部と、を有し、前記第１リード線の少なくとも一部は、前記リード線支持部によって係止される、並列ファンである。
【発明の効果】
【０００７】
本願の例示的な発明によれば、第１ファンモータと、第１ファンモータと隣接する第２ファンモータと、これらを内側に収容するハウジングと、を有する並列ファンにおいて、ファンモータから外部に引き出されたリード線を、ハウジングの上部と下部にある２つのフランジ部の間に設けられたリード線支持部において係止する。これにより、ファンモータから外側に引き出されたリード線が、はずれ、撓み、ファンの外部にはみ出すことを抑制できる。また、より径の大きいリード線を用いた場合においても、リード線をしっかりと固定できる。
【図面の簡単な説明】
【０００８】
【図１】図１は、第１実施形態に係る並列ファンの斜視図である。
【図２】図２は、第１実施形態に係る並列ファンの縦断面図である。
【図３】図３は、第１実施形態に係る並列ファンの部分縦断面図である。
【図４】図４は、第１実施形態に係る並列ファンの側面図である。
【図５】図５は、第１実施形態に係る並列ファンの斜視図である。
【図６】図６は、第２実施形態に係る並列ファンの斜視図である。
【図７】図７は、第２実施形態に係る並列ファンの側面図である。
【図８】図８は、第２実施形態に係る並列ファンの斜視図である。
【図９】図９は、変形例に係る並列ファンの斜視図である。
【発明を実施するための形態】
【０００９】
以下、本発明の例示的な実施形態について、図面を参照しながら説明する。なお、本願では、後述するモータの中心軸（第１中心軸および第２中心軸）と平行な方向を「軸方向」、モータの中心軸に直交する方向を「径方向」、モータの中心軸を中心とする円弧に沿う方向を「周方向」、とそれぞれ称する。なお、本実施形態の一部の構造については、第１中心軸に直交する方向を「第１径方向」、第２中心軸に直交する方向を「第２径方向」とし、第１中心軸を中心とする円弧に沿う方向を「第１周方向」、第２中心軸を中心とする円弧に沿う方向を「第２周方向」として、より詳細に説明する。また、本願では、軸方向を上下方向とし、空気が取り込まれる側（図２における左側）を「吸気側」または単に「上側」と呼び、空気が排出される側である（図２における右側）を「排気側」または単に「下側」と呼ぶ。ただし、この「上側」および「下側」は、あくまで説明の便宜のための表現であって、重力方向とは無関係である。本発明に係る並列ファンは、どのような向きで使用されてもよい。
【００１０】
また、本願において「平行な方向」とは、略平行な方向も含む。また、本願において「直交する方向」とは、略直交する方向も含む。
【００１１】
＜１．第１実施形態＞
＜１−１．並列ファンの全体構成＞
図１は、第１実施形態に係る並列ファン１の斜視図である。図２は、第１実施形態に係る並列ファン１の縦断面図である。ただし、図１では、後述する第１インペラ１４および後述する第２インペラ２４の図示が省略されており、図２では、第１インペラ１４および第２インペラ２４を含めて図示されている。また、図２では、後述する第１リード線１５および後述する第２リード線２５の図示が省略されており、図１では、第１リード線１５および第２リード線２５も含めて図示されている。
【００１２】
この並列ファン１は、例えば、冷蔵庫などの家電製品、または複数の電子機器が配置されたサーバルームなどの室内に、冷却用の空気流を供給する装置として用いられる。この並列ファン１は、このように２台のファンモータを有する並列ファンとして単体で使用されてもよく、３台以上のファンモータを有する並列ファンであってもよい。また、これら以外のファンモータをさらに組み合わせて同時に使用してもよい。
【００１３】
図１および図２に示すように、並列ファン１は、第１ファンモータ１０と、第２ファンモータ２０と、ハウジング３０と、を有する。第１ファンモータ１０と第２ファンモータ２０とは、互いに径方向に隣接して配置される。ハウジング３０は、第１ファンモータ１０と第２ファンモータ２０を内側に収容する。第１ファンモータ１０は、上下に延びる第１中心軸９１に沿って下向きの気流を発生させる軸流ファンである。また、第２ファンモータ２０は、後述する第２中心軸９２に沿って下向きの気流を発生させる軸流ファンである。第１ファンモータ１０および第２ファンモータ２０を駆動させると、吸気側である上側から空気が取り込まれ、ハウジング３０内の風洞５０を通って、排気側である下側へ向けて空気が送り出される。
【００１４】
＜１−２．第１ファンモータおよび第２ファンモータの構成＞
まず、第１ファンモータ１０および第２ファンモータ２０の構成について説明する。図３は、第１実施形態に係る並列ファン１の部分縦断面図である。ただし、図３では、後述する第１リード線１５の図示が省略されている。以下では、図３とともに、図１および図２も適宜に参照する。
【００１５】
第１ファンモータ１０は、第１モータ１１と、第１インペラ１４とを有する。
【００１６】
第１モータ１１は、第１静止部１２と、第１回転部１３とを有する。第１静止部１２は、並列ファン１が配置される装置等に対して、相対的に静止している。第１回転部１３は、第１静止部１２に対して、第１中心軸９１を中心として、回転可能に支持されている。
【００１７】
図３に示すとおり、第１静止部１２は、第１ベース部１２１と、第１ステータ１２２と、第１回路基板１２３と、第１軸受ホルダ１２４と、を有する。第１ベース部１２１は、第１ステータ１２２よりも下側に配置され、第１軸受ホルダ１２４の周囲から径方向外側に向かって拡がる円板状の部材である。第１ステータ１２２は、第１軸受ホルダ１２４の外周面に固定される。第１ステータ１２２は、第１ステータコア１２５と、複数の第１コイル１２６とを有する。第１ステータコア１２５は、径方向に延びる複数のティースを有する。複数の第１コイル１２６は、それぞれ、ティースの周囲に巻かれた導線により形成される。導線の端部は、第１回路基板１２３に接続される。
【００１８】
第１軸受ホルダ１２４は、第１中心軸９１に沿って延びる円筒状の部材である。第１軸受ホルダ１２４の下部は第１ベース部１２１の内周面に、例えば接着剤で固定される。第１軸受ホルダ１２４の径方向内側には、第１軸受部１２７が配置される。第１軸受部１２７には、例えば、ボールベアリングが用いられる。第１軸受部１２７の外輪は、第１軸受ホルダ１２４の内周面に固定される。第１軸受部１２７の内輪は、後述する第１シャフト１３１と互いに固定され、第１シャフト１３１を支持する。これにより、第１シャフト１３１が、第１静止部１２に対して回転可能に支持される。ただし、第１モータ１１は、ボールベアリングに代えて、すべり軸受、流体軸受等の他の方式の軸受部を有していてもよい。
【００１９】
第１回転部１３は、第１シャフト１３１と、第１ロータホルダ１３２と、第１環状部材１３３と、第１マグネット１３４とを有する。第１シャフト１３１は、第１中心軸９１に沿って配置される柱状の部材である。第１シャフト１３１は、第１軸受部１２７によって回転可能に支持される。
【００２０】
第１ロータホルダ１３２は、第１ロータ蓋部１３５と第１ロータ筒部１３６とを有する有蓋円筒状の部材である。第１ロータ蓋部１３５は、第１中心軸９１に対して略垂直に拡がる円板状の部位である。第１ロータ筒部１３６は、第１ロータ蓋部１３５から排気側へ軸方向に延びる。第１ロータホルダ１３２の材料には、例えば、金属または樹脂が用いられる。第１ロータ蓋部１３５の中央部は、第１シャフト１３１の上端部に、第１環状部材１３３を介して固定される。これにより、第１ロータホルダ１３２は、第１シャフト１３１とともに回転する。第１ロータ蓋部１３５は、第１静止部１２の吸気側に配置される。第１ロータ筒部１３６は、第１ステータ１２２の径方向外側に配置される。第１マグネット１３４は、第１ロータ筒部１３６の内周面に固定される。
【００２１】
第１モータ１１は、さらに第１ステータ１２２と電気的に接続された第１リード線１５を有する。本実施形態では、第１リード線１５は、４本の導線から構成されている。ただし、導線の本数は、４本に限定されない。第１リード線１５は、一方の端部が、第１回路基板１２３に接続される。また、他方の端部は、後述する第１筒状部３１から径方向外側（第１径方向外側）に引き出され、例えば、並列ファン１の外部に設けられた電源に接続される。第１リード線１５の引き出し経路の詳細については後述する。
【００２２】
第１リード線１５を介して、第１ステータ１２２の第１コイル１２６に駆動電流を供給すると、複数のティースに磁束が生じる。そして、ティースと、第１マグネット１３４との間の磁束の作用により、第１静止部１２と第１回転部１３との間に周方向のトルクが発生する。その結果、第１静止部１２に対して第１回転部１３が、第１中心軸９１を中心として回転する。これにより、第１回転部１３に直接または間接的に固定される後述する第１インペラ１４が、第１回転部１３とともに、第１中心軸９１を中心として回転する。
【００２３】
第１インペラ１４は、第１カップ部１４１と複数の第１羽根１４２とを有する。第１カップ部１４１は、第１ロータホルダ１３２の上面および外周面を覆う。各第１羽根１４２は、第１カップ部１４１の外周面から径方向外側へ拡がる。複数の第１羽根１４２は、周方向に略等間隔に配列される。なお、第１羽根１４２の数は、特に制限されない。
【００２４】
第２ファンモータ２０は、第２モータ２１と第２インペラ２４とを有する。第２モータ２１は、第２静止部２２と、第２回転部２３とを有する。第２静止部２２は、第２ステータ２２２および第２回路基板２２３を有し、並列ファン１が配置される装置等に対して、相対的に静止している。第２回転部２３は、第２静止部２２に対して、上下に延びる第２中心軸９２を中心として、回転可能に支持されている。なお、第２中心軸９２は、第１中心軸９１と異なる位置において、第１中心軸９１と平行に延びる。第２インペラ２４は、複数の第２羽根２４２を有し、第２回転部２３とともに回転する。
【００２５】
第２モータ２１は、さらに第２ステータ２２２と電気的に接続された第２リード線２５を有する。本実施形態では、第２リード線２５は、４本の導線から構成されている。ただし、導線の本数は、４本に限定されない。第２リード線２５は、一方の端部が、第２回路基板２２３に接続される。また、他方の端部は、後述する第２筒状部３２から径方向外側（第２径方向外側）に引き出され、例えば、並列ファン１の外部に設けられた電源に接続される。第２リード線２５の引き出し経路の詳細については後述する。
【００２６】
なお、本実施形態では、第２ファンモータ２０は、第１ファンモータ１０と同等の構造を有しているため、詳細な構造の説明を省略する。ただし、第１ファンモータ１０および第２ファンモータ２０は、互いに異なる構造を有していてもよい。
【００２７】
＜１−３．ハウジングの構成＞
次に、ハウジング３０の構成について説明する。
【００２８】
図１に戻る。ハウジング３０は、第１ファンモータ１０および第２ファンモータ２０の少なくとも一部を内部に収容する筐体である。ハウジング３０は、第１筒状部３１、第２筒状部３２、上側フランジ部３３、下側フランジ部３４、複数の第１ベース接続部３５、複数の第２ベース接続部３６、後述するリード線支持部３７、後述する案内部３９、および後述する凹部４０を有する。
【００２９】
第１筒状部３１は、第１中心軸９１に沿って軸方向に延びる筒状の部位である。第１筒状部３１は、第１ファンモータ１０の少なくとも一部を内部に収容する。第１筒状部３１の下端部付近の少なくとも一部には、第１リード線引出口８１が設けられている。第１リード線引出口８１は、第１筒状部３１の下端部付近において、第１中心軸９１に交差する方向に内側へ切り欠かれた部位である。
【００３０】
第２筒状部３２は、第２中心軸９２に沿って軸方向に延びる筒状の部位である。第２筒状部３２は、第２ファンモータ２０の少なくとも一部を内部に収容する。第２筒状部３２の下端部付近の少なくとも一部には、第２リード線引出口８２が設けられている。第２リード線引出口８２は、第２筒状部３２の下端部付近において、第２中心軸９２に交差する方向に内側へ切り欠かれた部位である。
【００３１】
上側フランジ部３３は、第１筒状部３１の上部から径方向外側（第１径方向外側）へ向けて突出し、かつ、第２筒状部３２の上部から径方向外側（第２径方向外側）へ向けて突出し、第１筒状部３１の上部と第２筒状部３２の上部とを連結する。
【００３２】
下側フランジ部３４は、第１筒状部３１の下部から径方向外側（第１径方向外側）へ向けて突出し、かつ、第２筒状部３２の下部から径方向外側（第２径方向外側）へ向けて突出し、第１筒状部３１の下部と第２筒状部３２の下部とを連結する。
【００３３】
本実施形態では、上側フランジ部３３または下側フランジ部３４が、ねじ止め等されることにより、並列ファン１が装置等の枠体に取り付けられる。なお、第１リード線引出口８１は、第１筒状部３１の下端部付近において、下側フランジ部３４の外周面から第１筒状部３１に達するまで、第１中心軸９１に交差する方向に内側へ切り欠かれている。第２リード線引出口８２は、第２筒状部３２の下端部付近において、下側フランジ部３４の外周面から第２筒状部３２に達するまで、第２中心軸９２に交差する方向に内側へ切り欠かれている。
【００３４】
複数の第１ベース接続部３５は、第１筒状部３１の内面の少なくとも一部から径方向内側へ延び、第１静止部１２の少なくとも一部と直接または間接的に接続される。これにより、第１モータ１１の第１静止部１２の、ハウジング３０に対する位置が固定される。なお、本実施形態において、複数の第１ベース接続部３５は、それぞれ第１ベース部１２１と接続される。複数の第１ベース接続部３５および第１筒状部３１は、樹脂の射出成形により単一の部材として形成される。ただし、これらは別部材であってもよい。
【００３５】
複数の第２ベース接続部３６は、第２筒状部３２の内面の少なくとも一部から径方向内側へ延び、第２静止部２２の少なくとも一部と直接または間接的に接続される。これにより、第２モータ２１の第２静止部２２の、ハウジング３０に対する位置が固定される。なお、本実施形態において、複数の第２ベース接続部３６は、第２静止部２２における第２ステータ２２２よりも下側に配置される第２ベース部２２１と、それぞれ接続される。複数の第２ベース接続部３６および第２筒状部３２は、樹脂の射出成形により単一の部材として形成される。ただし、これらは別部材であってもよい。
【００３６】
第１リード線１５は、第１モータ１１の第１回路基板１２３から、第１ベース接続部３５に沿って径方向外側（第１径方向外側）に延びる。そして、第１リード線引出口８１の内側を通って第１筒状部３１から外側に引き出される。さらに、上側フランジ部３３の下方、かつ、下側フランジ部３４の上方において、後述するリード線支持部３７を介して、第２筒状部３２に向かって延伸する。
【００３７】
第２リード線２５は、第２モータ２１の第２回路基板２２３から、第２ベース接続部３６に沿って径方向外側（第２径方向外側）に延びる。そして、第２リード線引出口８２の内側を通って第２筒状部３２から外側に引き出される。さらに、上側フランジ部３３の下方、かつ、下側フランジ部３４の上方において、第１リード線１５の延伸方向と同じ方向に延伸する。
【００３８】
リード線支持部３７、案内部３９、および凹部４０については、詳細を後述する。
【００３９】
＜１−４．リード線支持部の構成＞
続いて、リード線支持部３７の構成について説明する。図４は、第１実施形態に係る並列ファン１の側面図である。図５は、第１実施形態に係る並列ファン１の斜視図である。以下では、図４および図５とともに、図１〜図３も適宜に参照する。
【００４０】
図４および図５に示すとおり、リード線支持部３７は、上側フランジ部３３の少なくとも一部に固定され、上側フランジ部３３の下面の一部から、下方に向かって、第１リード線１５の延伸方向と交差する方向に突出する。リード線支持部３７は、上側フランジ部３３と下側フランジ部３４との間において、第１筒状部３１および第２筒状部３２の径方向外側（第１筒状部３１の第１径方向外側、かつ、第２筒状部３２の第２径方向外側）に設けられている。なお、リード線支持部３７は、第１筒状部３１、第２筒状部３２、上側フランジ部３３、または下側フランジ部３４の少なくとも一部に固定されていればよく、必ずしも上側フランジ部３３に固定される必要はない。例えば、リード線支持部３７は、下側フランジ部３４の上面の一部から、上方に向かって、第１リード線１５の延伸方向と交差する方向に突出してもよい。また、第１筒状部３１の外周面または第２筒状部３２の外周面から、第１リード線１５の延伸方向と交差する方向に突出してもよい。なお、ここでいう「固定」とは、リード線支持部３７と固定先の部位とが、単一の部材である場合も含む。
【００４１】
リード線支持部３７は、第１リード線１５を挟む係止部３８を有する。第１リード線１５は、係止部３８を通過して、第２筒状部３２に向かって延伸する。係止部３８は、底部３８１と、腕部３８２とを有する。底部３８１は、第１リード線１５の延伸方向と交差する方向に凹む。腕部３８２は、第１リード線１５の延伸方向と交差し、かつ、底部３８１の凹み方向と交差する方向に突出する。腕部３８２は、底部３８１の少なくとも一部と間隙３８３を介して対向する。本実施形態において、リード線支持部３７は、径方向に延びる壁部３７１をさらに有する。腕部３８２は、壁部３７１の少なくとも一部と間隙３７２を介して軸方向に対向する。腕部３８２の軸方向の長さは、底部３８１の軸方向の長さよりも短い。第１リード線１５は、間隙３７２を通って、底部３８１と腕部３８２との間に配置される。底部３８１には、係止部３８を通過する第１リード線１５の少なくとも一部が、１本ずつ軸方向に並んで配置される。第１リード線１５の少なくとも一部は、間隙３８３を通過し、底部３８１と腕部３８２とに挟まれることによって係止される。
【００４２】
このように、第１リード線１５の少なくとも一部が、リード線支持部３７によって係止されることにより、第１モータ１１から径方向外側（第１径方向外側）に引き出された第１リード線１５が、軸方向にずれ、撓み、並列ファン１の外部にはみ出すことを抑制できる。さらに、隣り合う第１ファンモータ１０と第２ファンモータ２０、および、上側フランジ部３３と下側フランジ部３４との間に形成される空間において第１リード線１５を係止できる。そのため、より径の大きい第１リード線１５を用いた場合においても、当該空間を用いてリード線支持部３７を配置することができる。これにより、第１リード線１５をしっかりと固定することができる。
【００４３】
＜１−５．案内部および凹部の構成＞
続いて、案内部３９および凹部４０の構成について説明する。
【００４４】
図４および図５に示すように、ハウジング３０は、第２筒状部３２の外周面の少なくとも一部から径方向外側（第２径方向外側）へ突出する案内部３９を有する。案内部３９は、第２筒状部３２の外周面に設けられた上下２つの柱状のリブである、上側リブ３９１と下側リブ３９２とを有する。上述のとおりリード線支持部３７によって係止された第１リード線１５は、案内部３９に沿って延伸し、少なくとも一部は、上側リブ３９１と下側リブ３９２との間に配置される。これにより、第１リード線１５の位置が軸方向にずれることを抑制できる。ただし、案内部３９の形状は、これに限定されない。例えば、案内部３９は、上下２つの柱状のリブのうち、下側リブ３９２のみを有し、第１リード線１５の少なくとも一部は、下側リブ３９２と上側フランジ部３３との間に配置されてもよい。
【００４５】
さらに、ハウジング３０は、上側フランジ部３３の下方で、かつ、下側フランジ部３４の上方において、第２筒状部３２の外周面から軸方向に交差する方向に凹む凹部４０を有する。凹部４０は、第１凹部４０１と、第１凹部４０１と軸方向に隣接する第２凹部４０２と、を有する。案内部３９に沿って延伸した第１リード線１５の少なくとも一部は、第１凹部４０１の内側に配置される。また、第２筒状部３２から引き出された第２リード線２５の少なくとも一部は、第２凹部４０２の内側に配置される。これにより、第１リード線１５と第２リード線２５とが整列して配置され、軸方向にずれることを抑制することができる。
【００４６】
第１凹部４０１に第１リード線１５が配置された後、第１凹部４０１には、第１クリップ（図示省略）が嵌められる。これにより、第１リード線１５を第１凹部４０１により強固に固定することができる。また、第２凹部４０２に第２リード線２５が配置された後、第２凹部４０２には、第２クリップ（図示省略）が嵌められる。これにより、第２リード線２５を第２凹部４０２により強固に固定することができる。
【００４７】
なお、第１凹部４０１および第２凹部４０２は、第２筒状部３２の外周面における第１中心軸９１から離れる方向の端部付近に位置する。本実施形態では、上側フランジ部３３および下側フランジ部３４が、上面視において矩形状である。上側フランジ部３３の角部と、下側フランジ部３４の角部との間に、第１凹部４０１および第２凹部４０２が位置する。これにより、第１リード線１５および第２リード線２５を真っ直ぐに延伸させたまま、並列ファン１の外部に引き出すことができる。
【００４８】
また、本実施形態では、第１凹部４０１は、第２凹部４０２よりも上側に位置する。第１リード線１５は、第１モータ１１から、第１筒状部３１の下方を通って第１筒状部３１の径方向外側（第１径方向外側）に引き出され、上側フランジ部３３の下面から突出するリード線支持部３７によって係止される。第１リード線１５は、第２リード線２５の上側において真っ直ぐに延伸し、少なくとも一部が、第１凹部４０１の内側に配置される。また、第２リード線２５は、第２モータ２１から、第２筒状部３２の下方を通って第２筒状部３２の径方向外側（第２径方向外側）に引き出される。第２リード線２５は、第１リード線１５の下側において真っ直ぐに延伸し、少なくとも一部が、第２凹部４０２の内側に配置される。これにより、第１リード線１５と第２リード線２５とを交差せずに延伸させることができる。
【００４９】
なお、第１リード線１５および第２リード線２５は、互いに上下逆の位置において延伸してもよい。例えば、第１凹部４０１は、第２凹部４０２よりも下側に配置される。リード線支持部３７は、下側フランジ部３４の上面の一部から、上方に向かって、第１リード線１５の延伸方向と交差する方向に突出する。そして、第１リード線１５は、第１モータ１１から、第１筒状部３１の上方を通って第１筒状部３１の径方向外側（第１径方向外側）に引き出される。第１リード線１５は、リード線支持部３７によって係止され、第２リード線２５の下側を真っ直ぐに延伸し、少なくとも一部が第１凹部４０１の内側に配置される。また、第２リード線２５は、第２モータ２１から、第２筒状部３２の上方を通って第２筒状部３２の径方向外側（第２径方向外側）に引き出される。第２リード線２５は、第１リード線１５の上側を真っ直ぐに延伸し、少なくとも一部が第２凹部４０２の内側に配置される。これにより、同様に、第１リード線１５と第２リード線２５とを交差せずに延伸させることができる。
【００５０】
＜２．第２実施形態＞
続いて、本発明の第２実施形態について説明する。図６は、第２実施形態に係る並列ファン１Ｂの斜視図である。図７は、第２実施形態に係る並列ファン１Ｂの側面図である。図８は、第２実施形態に係る並列ファン１Ｂの斜視図である。ただし、図６では、第１インペラ１４Ｂおよび第２インペラ２４Ｂの図示が省略されている。なお、以下では、第１実施形態との相違点を中心に説明し、第１実施形態と同等の部分については、重複説明を省略する。
【００５１】
図６および図７に示すとおり、並列ファン１Ｂは、第１ファンモータ１０Ｂと、第２ファンモータ２０Ｂと、ハウジング３０Ｂ、を有する。ハウジング３０Ｂは、第１筒状部３１Ｂと、第２筒状部３２Ｂと、上側フランジ部３３Ｂと、下側フランジ部３４Ｂと、複数の第１ベース接続部３５Ｂと、複数の第２ベース接続部３６Ｂと、リード線支持部３７Ｂと、案内部３９Ｂと、凹部４０Ｂと、を有する。
【００５２】
リード線支持部３７Ｂは、上側フランジ部３３Ｂの少なくとも一部に固定され、上側フランジ部３３Ｂの下面の一部から、下方に向かって、第１リード線１５Ｂの延伸方向と交差する方向に突出する部位である。リード線支持部３７Ｂは、上側フランジ部３３Ｂと下側フランジ部３４Ｂとの間において、第１筒状部３１Ｂおよび第２筒状部３２Ｂの径方向外側（第１筒状部３１の第１径方向外側、かつ、第２筒状部３２の第２径方向外側）に設けられている。
【００５３】
図８に示すとおり、リード線支持部３７Ｂは、第１リード線１５Ｂを挟む係止部３８Ｂを有する。第１モータ１１Ｂから径方向外側（第１径方向外側）に引き出された第１リード線１５Ｂは、係止部３８Ｂを通過して、第２筒状部３２Ｂに向かって延伸する。
【００５４】
係止部３８Ｂは、溝部３８０Ｂ、上側面３８４Ｂ、および下側面３８５Ｂを有する。溝部３８０Ｂは、リード線支持部３７Ｂの外表面から内側に凹む部位である。溝部３８０Ｂは、軸方向の大きさを第１リード線１５Ｂのうちの１本分程度で一定に保ちつつ、第１筒状部３１Ｂと第２筒状部３２Ｂとの境界部に向かってリード線支持部３７Ｂを貫通する。第１リード線１５Ｂに含まれる複数の導線は、係止部３８Ｂを通過する際、溝部３８０Ｂに１本ずつ積み上げられて配置される。
【００５５】
上側面３８４Ｂおよび下側面３８５Ｂは、溝部３８０Ｂの上側および下側に位置する２つの側面である。上側面３８４Ｂおよび下側面３８５Ｂは、互いの軸方向の間隔を一定に保つ。溝部３８０Ｂは、並列ファン１Ｂの側面から視て、上側フランジ部３３Ｂに向かってＶ字状に屈曲する。すなわち、溝部３８０Ｂの側面（上側面３８４Ｂおよび下側面３８５Ｂ）は、軸方向にＶ字状に屈曲する。第１リード線１５Ｂは、溝部３８０Ｂに沿って軸方向に屈曲しながら、リード線支持部３７Ｂを通過する。これにより、第１リード線１５Ｂは、係止部３８Ｂによってしっかりと係止される。また、溝部３８０ＢがＶ字状に屈曲することで、第１リード線１５Ｂが係止部３８Ｂから受ける摩擦力が大きくなり、第１リード線１５Ｂが係止部３８Ｂからはずれにくくなる。
【００５６】
なお、係止部３８Ｂの形状は、これに限定されない。例えば、溝部３８０Ｂ、上側面３８４Ｂ、および下側面３８５Ｂが、並列ファン１Ｂの側面から視て、上側フランジ部３３Ｂに向かってＵ字状に屈曲してもよい。これにより、第１リード線１５Ｂと係止部３８Ｂとの接触箇所が滑らかな曲面状になり、第１リード線１５Ｂの被膜が剥がれることを抑制できる。
【００５７】
＜３．変形例＞
以上、本発明の例示的な実施形態について説明したが、本発明は上記の実施形態に限定されるものではない。
【００５８】
図９は、一変形例に係る並列ファン１Ｃの斜視図である。図９の例では、並列ファン１Ｃのハウジング３０Ｃに設けられた係止部３８Ｃは、底部３８１Ｃと、腕部３８２Ｃとを有する。底部３８１Ｃは、ハウジング３０Ｃの少なくとも一部から第１リード線１５Ｃの延伸方向と交差する方向に突出する。本変形例において、底部３８１Ｃは、上側フランジ部３３Ｃから、第１リード線１５Ｃの延伸方向と交差する方向に突出する。腕部３８２Ｃの下方は、底部３８１Ｃと接続され、第１リード線１５Ｃの延伸方向と交差する方向にＬ字状に突出する。腕部３８２Ｃの少なくとも一部は、底部３８１Ｃの少なくとも一部と間隙３８３Ｃを介して対向する。間隙３８３Ｃには、係止部３８Ｃを通過する第１リード線１５Ｃの少なくとも一部が、１本ずつ軸方向に並んで配置される。腕部３８２Ｃは、上側フランジ部３３Ｃの少なくとも一部と、間隙３７２Ｃを介して軸方向に対向する。第１リード線１５Ｃは、間隙３７２Ｃを通って、底部３８１Ｃと腕部３８２Ｃとの間に配置される。第１リード線１５Ｃの少なくとも一部は、間隙３８３Ｃを通過し、底部３８１Ｃと腕部３８２Ｃとに挟まれることによって係止される。これにより、第１リード線１５Ｃが下側にずれることを抑制できる。
【００５９】
上記の実施形態において、並列ファンは２つのファンモータを有する。しかしながら、並列ファンは３つ以上のファンモータを有してもよい。例えば、並列ファンが、第１ファンモータ、第２ファンモータ、および第３ファンモータを有する場合、第１ファンモータから引き出された第１リード線と第２ファンモータから引き出された第２リード線は、第３ファンモータ側に向かって延伸する。並列ファンは、第１ファンモータと第２ファンモータとの間に１つのリード線支持部を有し、第２ファンモータと第３ファンモータとの間に２つのリード線支持部を有する。第１リード線は、第１ファンモータと第２ファンモータとの間と、第２ファンモータと第３ファンモータとの間において、それぞれリード線支持部に係止され、第２リード線の上側において第３ファンモータに向かって延伸する。第２リード線は、第２ファンモータと第３ファンモータとの間において、１つのリード線支持部に係止され、第１リード線の下側において第３ファンモータに向かって延伸する。第１リード線を係止する２つのリード線支持部は、上側フランジ部の下面の一部から、下方に向かって、第１リード線の延伸方向と交差する方向に突出する。第２リード線を係止するリード線支持部は、上側フランジ部と下側フランジ部との間において、第２ファンモータ第２筒状部の外周面および第３ファンモータの第３筒状部の外周面から、第１リード線の延伸方向と交差する方向に突出する。すなわち、第２ファンモータと第３ファンモータとの間において、第１リード線を係止するリード線支持部は、第２リード線を係止するリード線支持部よりも上側に配置される。なお、３つのリード線支持部はそれぞれ異なる形状を有していてもよい。
【００６０】
また、各部品の細部の形状については、本願の各図に示された形状と、相違していてもよい。また、上記の実施形態や変形例に登場した各要素を、矛盾が生じない範囲で、適宜に組み合わせてもよい。
【産業上の利用可能性】
【００６１】
本発明は、並列ファンに利用できる。
【符号の説明】
【００６２】
１，１Ｂ，１Ｃ  並列ファン
１０，１０Ｂ  第１ファンモータ
１１，１１Ｂ  第１モータ
１２  第１静止部
１３  第１回転部
１４，１４Ｂ  第１インペラ
１５，１５Ｂ，１５Ｃ  第１リード線
２０，２０Ｂ  第２ファンモータ
２１  第２モータ
２２  第２静止部
２３  第２回転部
２４，２４Ｂ  第２インペラ
２５  第２リード線
３０，３０Ｂ，３０Ｃ  ハウジング
３１，３１Ｂ  第１筒状部
３２，３２Ｂ  第２筒状部
３３，３３Ｂ，３３Ｃ  上側フランジ部
３４，３４Ｂ  下側フランジ部
３５，３５Ｂ  第１ベース接続部
３６，３６Ｂ  第２ベース接続部
３７，３７Ｂ  リード線支持部
３８，３８Ｂ，３８Ｃ  係止部
３９，３９Ｂ  案内部
４０，４０Ｂ  凹部
５０  風洞
８１  第１リード線引出口
８２  第２リード線引出口
９１  第１中心軸
９２  第２中心軸
１２１  第１ベース部
１２２  第１ステータ
１２３  第１回路基板
１２４  第１軸受ホルダ
１２５  第１ステータコア
１２６  第１コイル
１２７  第１軸受部
１３１  第１シャフト
１３２  第１ロータホルダ
１３３  第１環状部材
１３４  第１マグネット
１３５  第１ロータ蓋部
１３６  第１ロータ筒部
１４１  第１カップ部
１４２  第１羽根
２２１  第２ベース部
２２２  第２ステータ
２２３  第２回路基板
２４２  第２羽根
３７１  壁部
３７２，３７２Ｃ  間隙
３８０Ｂ  溝部
３８１，３８１Ｃ  底部
３８２，３８２Ｃ  腕部
３８３，３８３Ｃ  間隙
３８４Ｂ  上側面
３８５Ｂ  下側面
３９１  上側リブ
３９２  下側リブ
４０１  第１凹部
４０２  第２凹部
【図１】
2018093584.tif 000003
【図２】
2018093584.tif 000004
【図３】
2018093584.tif 000005
【図４】
2018093584.tif 000006
【図５】
2018093584.tif 000007
【図６】
2018093584.tif 000008
【図７】
2018093584.tif 000009
【図８】
2018093584.tif 000010
【図９】
2018093584.tif 000011